(57)【特許請求の範囲】
【請求項１】
電線が挿通可能な筒状をなし、端子金具に設けられたバレル片が外周から抱くようにかしめられることで、電線とともに端子金具に固定される防水ゴム栓において、
後部側に形成されてシールを行なうための栓本体と前部に形成され前記バレル片によってかしめられる取付筒部とからなり、中心には前記電線を緊密に挿通可能な挿通孔が形成されるとともに、
前記取付筒部は、その前端縁から後方へ離れた位置で前記バレル片によってかしめられる一方、前記取付筒部の内周面には逃がし部が凹み形成されていて、前記取付筒部に対し前記バレル片によるかしめがなされたときに、このかしめに伴って移動する肉を前記逃がし部内に逃がす構成であることを特徴とする防水ゴム栓。
【請求項２】
前記取付筒部の内周面には、周方向に沿った溝部が複数条長さ方向に間隔を開けて形成され、これらの溝部によって前記逃がし部が構成されていることを特徴とする請求項１記載の防水ゴム栓。
【発明の詳細な説明】
【技術分野】
【０００１】
本発明は、個室防水に用いる防水ゴム栓に関する。
【背景技術】
【０００２】
この種の防水ゴム栓の一般的構造としては、特許文献１に記載されたものが知られている。このものは、図６に一部を示すように、全体としては被覆電線１を挿通可能な円筒状をなし、外周にリップ３を設けてハウジングのキャビティ内に緊密に嵌着される栓本体２の前面に、縮径された取付筒部４を連設した構造になっていて、端子金具の後端に設けられたインシュレーションバレル部のバレル片５が、取付筒部４の外周を抱くようにかしめられることで、電線１とともに端子金具に固着されるようになっている。
【特許文献１】特開昭６３−２５７１８７号公報
【発明の開示】
【発明が解決しようとする課題】
【０００３】
ここで、バレル片５のかしめ部分を具体的に見ると、バレル片５は、スプリングバックを見越して、取付筒部４を相当量潰すようにかしめられるが、そのとき押し潰される肉の部分は、同図の矢線に示すように、バレル片５の前後から外周側に逃げようとし、一方、バレル片５の端縁の内側では、肉が内周側に押し付けられるのであるから、バレル片５の前後の端部付近において肉に対してせん断力が作用し、亀裂ｃが生じる等の損傷を受けるおそれがあった。  
本発明は上記のような事情に基づいて完成されたものであって、その目的は、バレル片のかしめに伴って損傷を受けることを避け得るようにした防水ゴム栓を提供するところにある。
【課題を解決するための手段】
【０００４】
上記の目的を達成するための手段として、請求項１の発明は、電線が挿通可能な筒状をなし、端子金具に設けられたバレル片が外周から抱くようにかしめられることで、電線とともに端子金具に固定される防水ゴム栓において、後部側に形成されてシールを行なうための栓本体と前部に形成され前記バレル片によってかしめられる取付筒部とからなり、中心には前記電線を緊密に挿通可能な挿通孔が形成されるとともに、前記取付筒部は、その前端縁から後方へ離れた位置で前記バレル片によってかしめられる一方、前記取付筒部の内周面には逃がし部が凹み形成されていて、前記取付筒部に対し前記バレル片によるかしめがなされたときに、このかしめに伴って移動する肉を前記逃がし部内に逃がす構成であるところに特徴を有する。
【０００５】
請求項２の発明は、請求項１に記載のものにおいて、前記取付筒部の内周面には、周方向に沿った溝部が複数条長さ方向に間隔を開けて形成され、これらの溝部によって前記逃がし部が構成されているところに特徴を有する。
【発明の効果】
【０００６】
＜請求項１の発明＞
防水ゴム栓の取付筒部にバレル片がかしめられると、同筒部の肉が内周側に押し付けられるが、その肉は同筒部の内周面に凹み形成された逃がし部内に逃がされ、したがってバレル片の前後から肉が外周側に逃げることが無くなる。そのため、バレル片の端部付近で肉に対してせん断力が作用することが回避され、亀裂が生じる等の損傷を受けることが防止される。
【０００７】
＜請求項２の発明＞
バレル片の前後から肉が外周側に逃げることを確実に回避するには、バレル片の端縁の付近において肉を逃がし部に逃がすことが有効である。一方、バレル片のかしめ位置は、前後方向すなわち取付筒部の長さ方向にずれるおそれがあるが、この発明では、逃がし部が、長さ方向に間隔を開けた複数条の溝部によって構成されているから、バレル片のかしめ位置が前後にずれたとしても、バレル片の端縁付近の肉をいずれかの溝部に対して逃がすことができる。すなわちバレル片のかしめ位置が少々ずれたとしても、バレル片の前後から肉が外周側に逃げることを確実に回避できる。
【発明を実施するための最良の形態】
【０００８】
＜実施形態＞
以下、本発明の一実施形態を図１ないし図５に基づいて説明する。  
本実施形態の防水ゴム栓３０（以下、単にゴム栓３０という）は、図５に示すように、被覆電線１０の端末に固着された端子金具２０の後方に設けられ、端子金具２０がハウジング１５のキャビティ１６内に挿入されて抜け止めされたところで、ゴム栓３０がキャビティ１６の入口１６Ａ内に緊密に嵌着され、キャビティ１６に対するシールが取られるようになっている。  
被覆電線１０は、芯線１１の外周に被覆１２が施された周知の構造であって、その端末部分では、被覆１２の端末が所定寸法切除されることにより、芯線１１の端末が被覆１２の端末から突出した形態に処理される。
【０００９】
端子金具２０は雌側であって、図２に示すように、相手の雄端子金具（図示せず）のタブと接続される角筒形をなす本体部２１の後方に、上記した被覆電線１０における芯線１１の端末に圧着されるワイヤバレル部２２と、被覆１２の端末に圧着されるインシュレーションバレル部２５とが設けられている。  
ワイヤバレル部２２は、円弧状に形成された底壁２３の左右の端縁から、幅広で背の低いバレル片２４が対向状に立ち上がり形成されており、両バレル片２４が、被覆電線１０における芯線１１の端末に、断面略ハート形をなすようにかしめられることで、固着されるようになっている。
【００１０】
一方、インシュレーションバレル部２５は、詳しくは後記するように、被覆電線１０における被覆１２の端末ともどもゴム栓３０の取付筒部３６に対してかしめられるものであって、一段下がった同じく円弧状をなす底壁２６の左右両端縁から、幅狭で背の高い一対のバレル片２７が立ち上がり形成されている。両バレル片２７は、前後方向に互いに位置がずれるようにして形成され、例えば正面から見た右側のバレル片２７が前側に、左側のバレル片２７が後側に位置しており、したがって両バレル片２７は、互いに干渉することなく前後方向にラップした状態で取付筒部３６を抱くようにしてかしめられるようになっている。
【００１１】
さてゴム栓３０は、図１に示すような形状に形成されている。ゴム栓３０は、例えばシリコーンゴム製であって、大まかには、後部側が大径で、前部側が小径の段付きの円筒状に形成されている。このゴム栓３０の中心孔が、被覆電線１０を緊密に挿通可能な挿通孔３１となっている。  
大径の後部側は、キャビティ１６の入口１６Ａに緊密に嵌着される栓本体３２であって、栓本体３２の外周面には、前部側において図示２条のリップ３３が形成されている。また内周面にも、図示２条のリップ３４が、外周側のリップ３３とは互い違いの位置に形成されている。
【００１２】
一方、小径の前部側は、上記した端子金具２０のインシュレーションバレル部２５がかしめられる取付筒部３６となっている。この取付筒部３６が、本発明のかしめ領域に相当する。  
そして、この取付筒部３６の内周面には、全周にわたって連続した円周溝３７が、図示８本、長さ方向に等間隔を開けて形成されている。これらの円周溝３７が、本発明の溝部、さらには逃がし部に相当する。円周溝３７は、後記するように取付筒部３６の外周にバレル片２７がかしめられて、当該取付筒部３６の肉が内周側に押し出された場合に、その押し出された分の肉を逃がすことができる容量が確保できるように、その溝幅と深さとが設定されている。
【００１３】
続いて、本実施形態の作用を説明する。  
被覆電線１０の端末に端子金具２０及びゴム栓３０を固着するに当たっては、まず被覆電線１０の端末をゴム栓３０の挿通孔３１に後方から挿通して、一旦前方に貫通させ、既述したように、被覆１２の端末を切除して芯線１１の端末を所定寸法露出させる端末処理を施す。そののち、被覆１２の切除端が、取付筒部３６の前面から少し出る程度まで、被覆電線１０を引き戻す。上記のように、被覆電線１０の端末にゴム栓３０が組み付けられたら、図示しないかしめ装置の下型（アンビル）にセットされた端子金具２０に対してゴム栓３０が載せられる。
【００１４】
具体的には、ゴム栓３０の取付筒部３６が端子金具２０のインシュレーションバレル部２５の底壁２６内に嵌められて載せられ、それに伴い、被覆電線１０の露出した芯線１１の端末が、ワイヤバレル部２２の底壁２３に嵌められて載せられる。係る状態から、まず、ワイヤバレル部２２側の上型（クリンパ）が下降することで、ワイヤバレル部２２の両バレル片２４が、芯線１１の端末に対して、断面略ハート形をなすようにかしめられて固着され、これによって、被覆電線１０と端子金具２０との間が電気的に接続される。
【００１５】
続いて、インシュレーションバレル部２５側の上型（クリンパ）が下降することで、インシュレーションバレル部２５の両バレル片２７が、互いに干渉することなく前後方向にラップした状態で、ゴム栓３０の取付筒部３６を抱くようにしてかしめられ、これによりゴム栓３０が、被覆電線１０の被覆１２の端末ともども端子金具２０に固着される。  
ここで、インシュレーションバレル部２５の両バレル片２７をかしめるについては、そのスプリングバックを見越して、取付筒部３６を相当量、例えば図３に示すように同取付筒部３６の厚さの半分強の寸法を潰すようにかしめられる。
【００１６】
そのとき、かしめられた部分の肉は内周側に押し出され、それが比較的剛性の高い被覆電線１０の被覆１２の外周に押し付けられるが、取付筒部３６の内周面には円周溝３７が形成されていて、被覆１２の外周面との間に空間ｓ（図４参照）が形成されているから、上記の押し出された肉は、同空間ｓを埋めるようにして逃がされる。その結果、バレル片２７の前後から、肉が外周側に逃げることが回避される。  
なお、かしめ作業が終わった後には、バレル片２７がスプリングバックにより少し開くが、それを見越して予め多めにかしめているから、図４に示すように、バレル片２７は未だ、取付筒部３６を弾性的に潰しつつ被覆１２の端末を抱きかかえ、ゴム栓３０は、被覆電線１０ともども端子金具２０に対して確実に固着される。
【００１７】
以上のように本実施形態では、端子金具２０に設けられたインシュレーションバレル部２５のバレル片２７を、ゴム栓３０の取付筒部３６にかしめることで、ゴム栓３０を被覆電線１０ともども端子金具２０に固着する部分において、取付筒部３６の内周面に、複数条の円周溝３７を長さ方向に沿って間隔を開けて形成した構造となっている。そのため、バレル片２７がかしめられて取付筒部３６の肉が内周側に押し付けられた場合に、その肉は円周溝３７（逃がし部）内に逃がされ、したがってバレル片２７の前後から肉が外周側に逃げることが無くなる。そのため、各バレル片２７の外側の端部付近で肉に対してせん断力が作用することが回避され、亀裂が生じる等の損傷を受けることが防止される。
【００１８】
なお、バレル片２７の前後から肉が外周側に逃げることを確実に回避するには、各バレル片２７の外側の端縁付近において肉を逃がし部に逃がすことが有効である。一方、バレル片２７のかしめ位置は、前後方向すなわち取付筒部３６の長さ方向にずれるおそれがあるが、この実施形態では、逃がし部が、長さ方向に間隔を開けた複数条の円周溝３７によって構成されているから、バレル片２７のかしめ位置が前後にずれたとしても、バレル片２７の端縁付近の肉をいずれかの円周溝３７に対して逃がすことができる。すなわちバレル片２７のかしめ位置が少々ずれたとしても、バレル片２７の前後から肉が外周側に逃げることを確実に回避できる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）インシュレーションバレル部のバレル片の形態としては、３本以上が左右両側から互い違いに形成されていたり、１本のみが形成されているものであってもよい。  
（２）また、対をなすバレル片が左右で対向状に形成されて、内外に重なるようにかしめられる形式であってもよい。
【００２０】
（３）円周溝は、周方向に連続しておらず、途中で分断されるように形成されていてもよい。  
（４）一部既述したように、円周溝の溝幅や深さ、さらに本数については、バレル片がかしめられることに伴い取付筒部の肉が内周側に押し出される量等の条件に応じて、任意に設定することができる。  
その場合、バレル片の端縁付近において肉を逃がし部に逃がすことが、バレル片の前後から肉が外周側に逃げることを回避することに最も有効であることに鑑み、円周溝は、少なくともバレル片の端縁付近に対応する位置に形成することが望ましい。
【００２１】
（５）適用する電線としては、上記実施形態に例示した通常の被覆電線に限らず、シールド電線であってもよい。  
（６）適用する端子金具は、上記実施形態に例示した雌側の端子金具に限らず、雄側の端子金具であってもよい。
【図面の簡単な説明】
【００２２】
【図１】本発明の一実施形態に係る防水ゴム栓の縦断面図
【図２】端子金具の斜視図
【図３】バレル片を最大にかしめた場合のゴム栓の部分断面図
【図４】バレル片がスプリングバックした状態のゴム栓の部分断面図
【図５】端子金具がゴム栓ともどもハウジングに装着された状態の縦断面図
【図６】従来例に係るゴム栓の部分断面図
【符号の説明】
【００２３】
１０…被覆電線（電線）
１２…被覆
１５…ハウジング
１６…キャビティ
２０…端子金具
２５…インシュレーションバレル部
２７…バレル片
３０…防水ゴム栓
３１…挿通孔
３２…栓本体
３６…取付筒部（かしめ領域）
３７…円周溝（溝部；逃がし部）
【図１】
0004529881.tif 000002
【図２】
0004529881.tif 000003
【図３】
0004529881.tif 000004
【図４】
0004529881.tif 000005
【図５】
0004529881.tif 000006
【図６】
0004529881.tif 000007